(57)【要約】【課題】既設の中空柱を立設した状態で、確実かつ容易にアラミドロッドを均等に配置し、これにより既設の中空柱を効率的に補強する。【解決手段】本発明は、補強材均等配置用治具は、外周側に等間隔に複数の腕部の取り付け部を有する腕取り付け基部１１と、この腕取り付け基部１１の腕部の取り付け部に取り付けられる複数の基部側腕部１３と、この基部側腕部１３のそれぞれに揺動自在に連結されると共に前記補強材を保持する保持部２５を有する端部側腕部１５，１７と、外周側に等間隔に複数のおもり懸吊用ワイヤ２１の取り付け部を有する懸吊用基部１９と、この懸吊用基部１９のおもり懸吊用ワイヤ２１の取り付け部に一端を掛止された懸吊用ワイヤ２１の他端に端部側腕部１５，１７の先端を経由して接続されるおもり２３とを備える。【選択図】図１
2008025317.tif 000002
【特許請求の範囲】
【請求項１】
内部に中空部を有する中空柱を立設した状態で、当該中空柱の補強を複数本の棒状の補強材により行うときの中空柱における補強材均等配置方法であって、
前記複数本の補強材を保持し分散配置させる補強材均等配置用治具を前記中空柱の側面に設けられた側面開口から挿入する補強材均等配置用治具挿入工程と、
前記補強材均等配置用治具を当該中空柱の中心位置に配置させる治具中心配置用治具を前記側面開口から挿入する治具中心配置用治具挿入工程と、
補強材均等配置用治具と治具中心配置用治具とを直行するように貫通する棒状の軸部材を介して補強材均等配置用治具と治具中心配置用治具とを連結する治具連結行程と、
を有して、前記補強材均等配置用治具の中心位置を治具中心配置用治具により当該中空柱の中心位置に配置させると共に前記複数の補強材を補強材均等配置用治具で均等に配置した後に、前記側面開口から充填材を投入して補強材を固定することを特徴とする中空柱における補強材均等配置方法。
【請求項２】
内部に中空部を有する中空柱を立設した状態で、当該中空柱の補強を行うときの中空柱における補強材均等配置方法であって、
立設した中空柱の側面に側面開口を形成する開口形成行程と、
前記側面開口から中空柱内部に複数本の棒状の補強材を挿入する補強材挿入工程と、
前記複数本の補強材を揺動自在の腕部に設けた保持部で保持し分散配置させる補強材均等配置用治具を前記腕部を折り畳んだ状態で前記側面開口から挿入する補強材均等配置用治具挿入工程と、
展開自在に設けられた腕部を展開することで前記補強材均等配置用治具を当該中空柱の中心位置に配置させる治具中心配置用治具を前記腕部を閉じた状態で前記側面開口から挿入し、前記補強材均等配置用治具の下方に配置する治具中心配置用治具挿入工程と、
補強材均等配置用治具と治具中心配置用治具とを直行するように貫通する軸部材を介して補強材均等配置用治具と治具中心配置用治具とを連結する治具連結行程と、
前記治具中心配置用治具の腕部を展開して補強材均等配置用治具の中心位置を当該中空柱の中心位置に配置させると共に前記補強材均等配置用治具の腕部を展開して保持部に保持される複数の補強材を均等に配置した後に、前記側面開口から充填材を投入して補強材を固定する補強材固定行程と、
前記側面開口を塞ぐ工程と、
を備えることを特徴とする中空柱における補強材均等配置方法。
【請求項３】
前記補強材均等配置用治具は展開自在に設けられた腕部を、当該補強材均等配置用治具が懸吊状態にあるとき折り畳み、懸吊状態が解除されるとその腕を展開することを特徴とする請求項２に記載の補強材均等配置方法。
【請求項４】
前記治具中心配置用治具は、腕部の自重で展開することを特徴とする請求項２または３のいずれかに記載の補強材均等配置方法。
【請求項５】
内部に中空部を有する中空柱を立設した状態で、当該中空柱の補強を複数本の棒状の補強材により行うときの中空柱における補強材均等配置用治具であって、
外周側に等間隔に複数の腕部の取り付け部を有する腕取り付け基部と、
この腕取り付け基部の腕部の取り付け部に取り付けられる複数の基部側腕部と、
この基部側腕部のそれぞれに揺動自在に連結されると共に前記補強材を保持する保持部を有する端部側腕部と、
外周側に等間隔に複数のおもり懸吊用ワイヤの取り付け部を有する懸吊用基部と、
この懸吊用基部のおもり懸吊用ワイヤの取り付け部に一端を掛止された懸吊用ワイヤの他端に端部側腕部の先端を経由して接続されるおもりと
を有することを特徴とする補強材均等配置用治具。
【請求項６】
前記補強材均等配置用治具は展開自在に設けられた腕部を、当該補強材均等配置用治具が懸吊状態にあるとき折り畳み、懸吊状態が解除されるとその腕を展開することを特徴とする請求項５に記載の補強材均等配置用治具。
【請求項７】
前記基部側腕部は、複数の板状部材で構成され、かつ該板状部材には長穴が設けられており、この複数の板状部材の構成を変更することで当該基部側腕部の腕長を変更することを特徴とする請求項５または６のいずれかに記載の補強材均等配置用治具。
【請求項８】
前記基部側腕部は、先端部分に端部側腕部の下向きの揺動を規制する突起部を有することを特徴とする請求項５乃至７のいずれかに記載の補強材均等配置用治具。
【請求項９】
前記端部側腕部は、さらに端部側上腕部と端部側下椀部により構成され、
前記端部側上腕部は、前記基部側腕部の先端部より若干腕取り付け基部寄りの位置で揺動自在に連結され、
前記端部側下椀部は、前記基部側腕部先端部分に設けられた端部側上腕部の下向きの揺動を規制する突起部に揺動自在に連結され、
前記おもり懸吊用ワイヤは一端を懸吊用基部に掛止し、他端を端部側上腕部の先端と端部側下椀部の先端とを経由しておもりに接続される
ことを特徴とする請求項５乃至８のいずれかに記載の補強材均等配置用治具。
【請求項１０】
前記端部側腕部は、その腕長が基部側腕部の腕長よりも長いことを特徴とする請求項５乃至８のいずれかに記載の補強材均等配置用治具。
【発明の詳細な説明】
【技術分野】
【０００１】
本発明は、各種鋼管柱やコンクリート柱等の中空柱の補強を立設した状態で行うための中空柱における補強材均等配置方法及び補強材均等配置治具に関する。
【背景技術】
【０００２】
鋼管柱やコンクリート柱等の中空柱は、通常は中空柱の基端部の所定長部分が地中に埋設されて地上に立設される。
【０００３】
このような中空柱は、中空柱の設置環境や経年変化などにより強度が劣化し、低下する可能性のあることが指摘されることもあった。そのため、このような中空柱は定期的に点検され、適宜、補強や立て替えが行われている。また、点検等により中空柱を立て替えに依らず補強する際には、地際に近い部分を中心にして重点的に行うのが一般的である。
【０００４】
例えば、特許文献１では中空柱としてのコンクリート製の電柱の地際から１ｍ程上方の電柱側面に形成された側面開口部から中空柱の内部に補強材としてのアラミドロッドを複数本、挿入したのち複数本のアラミドロッドを治具等により均等に配置し、次にこれらアラミドロッドの隙間に例えば豆砂利や砕石を投入し、更にモルタルやコンクリートなどを順次投入し、これにより中空柱の最下端部から側面開口部付近までを補強するようにしている。
【特許文献１】特願２００３−２４１７６号
【発明の開示】
【発明が解決しようとする課題】
【０００５】
上述したように、従来のコンクリート製の電柱の補強方法では、中空柱の最下端部から地際から１ｍ程上方の電柱側面に形成された側面開口部付近までを複数本の補強材としてのアラミドロッドを均等に配置し補強するようにしている。
【０００６】
しかしながら、中空柱に設けられる側面開口は、そもそも中空柱の強度に影響を与えてはならないことから、必要最小限の開口となるように施工されていた。そのため中空柱内部に収容されるアラミドロッドの均等配置用の治具は、大きさや構成が極端に制限されている。
【０００７】
また中空柱内部でのアラミドロッドの均等配置はアラミドロッドの全長にわたって行われなければならないが、中空柱内部のノロ等の突出物により均等配置用の治具そのものが中空柱内部で傾いて配置されたりする可能性が指摘されることもあった。
【０００８】
このアラミドロッドの均等配置は、極端な例では、支柱等のように斜めに立てられた中空柱においても同様に、中空柱の中心軸に沿って、アラミドロッドが均等に配置されることが望まれている。
【０００９】
本発明は、上記に鑑みてなされたもので、その目的とするところは、既設の中空柱を立設した状態で、確実かつ容易にアラミドロッドを均等に配置し、これにより既設の中空柱を効率的に補強することが可能な中空柱における補強材均等配置方法及び補強材均等配置用治具を提供することにある。
【課題を解決するための手段】
【００１０】
上記の課題を解決するために、請求項１記載の補強材均等配置方法は、内部に中空部を有する中空柱を立設した状態で、当該中空柱の補強を複数本の棒状の補強材により行うときの中空柱における補強材均等配置方法であって、前記複数本の補強材を保持し分散配置させる補強材均等配置用治具を前記中空柱の側面に設けられた側面開口から挿入する補強材均等配置用治具挿入工程と、前記補強材均等配置用治具を当該中空柱の中心位置に配置させる治具中心配置用治具を前記側面開口から挿入する治具中心配置用治具挿入工程と、補強材均等配置用治具と治具中心配置用治具とを直行するように貫通する棒状の軸部材を介して補強材均等配置用治具と治具中心配置用治具とを連結する治具連結行程とを有して、前記補強材均等配置用治具の中心位置を治具中心配置用治具により当該中空柱の中心位置に配置させると共に前記複数の補強材を補強材均等配置用治具で均等に配置した後に、前記側面開口から充填材を投入して補強材を固定することを要旨とする。
【００１１】
請求項１記載の補強材均等配置方法によれば、補強材を均等に配置する補強材均等配置用治具を治具中心配置用治具により、中空柱の中心位置に配置させることが可能となることから、補強材を中空柱内部においてより均等に配置することが可能となる。
【００１２】
請求項２記載のの補強材均等配置方法は、内部に中空部を有する中空柱を立設した状態で、当該中空柱の補強を行うときの中空柱における補強材均等配置方法であって、立設した中空柱の側面に側面開口を形成する開口形成行程と、前記側面開口から中空柱内部に複数本の棒状の補強材を挿入する補強材挿入工程と、前記複数本の補強材を揺動自在の腕部に設けた保持部で保持し分散配置させる補強材均等配置用治具を前記腕部を折り畳んだ状態で前記側面開口から挿入する補強材均等配置用治具挿入工程と、展開自在に設けられた腕部を展開することで前記補強材均等配置用治具を当該中空柱の中心位置に配置させる治具中心配置用治具を前記腕部を閉じた状態で前記側面開口から挿入し、前記補強材均等配置用治具の下方に配置する治具中心配置用治具挿入工程と、補強材均等配置用治具と治具中心配置用治具とを直行するように貫通する軸部材を介して補強材均等配置用治具と治具中心配置用治具とを連結する治具連結行程と、前記治具中心配置用治具の腕部を展開して補強材均等配置用治具の中心位置を当該中空柱の中心位置に配置させると共に前記補強材均等配置用治具の腕部を展開して保持部に保持される複数の補強材を均等に配置した後に、前記側面開口から充填材を投入して補強材を固定する補強材固定行程と、前記側面開口を塞ぐ工程とを備えることを要旨とする。
【００１３】
請求項２記載の補強材均等配置方法によれば、補強材を均等に配置する補強材均等配置用治具を治具中心配置用治具により、中空柱の中心位置に配置させることが可能となることから、補強材を中空柱内部においてより均等に配置することが可能となる。
【００１４】
請求項３記載の補強材均等配置方法は、請求項２に記載の前記補強材均等配置用治具が展開自在に設けられた腕部を、当該補強材均等配置用治具が懸吊状態にあるとき折り畳み、懸吊状態が解除されると、その腕を展開することを要旨とする。
【００１５】
請求項３記載の補強材均等配置方法は、当該補強材均等配置用治具を懸吊状態とすると腕部が折り畳まれ、懸吊状態を解除すると、その自重により腕部を展開することから、補強材を均等に配置する際の作業性を大幅に高めることが可能となる。
【００１６】
請求項４記載の補強材均等配置方法は、請求項２または３のいずれかに記載の治具中心配置用治具が、腕部の自重で展開することを要旨とする。
【００１７】
請求項４記載の補強材均等配置方法は、治具中心配置用治具が、腕部の自重で展開することから、補強材を均等に配置する際の作業性を大幅に高めることが可能となる。
【００１８】
請求項５記載の補強材均等配置用治具は、内部に中空部を有する中空柱を立設した状態で、当該中空柱の補強を複数本の棒状の補強材により行うときの中空柱における補強材均等配置用治具であって、外周側に等間隔に複数の腕部の取り付け部を有する腕取り付け基部と、この腕取り付け基部の腕部の取り付け部に取り付けられる複数の基部側腕部と、この基部側腕部のそれぞれに揺動自在に連結されると共に前記補強材を保持する保持部を有する端部側腕部と、外周側に等間隔に複数のおもり懸吊用ワイヤの取り付け部を有する懸吊用基部と、この懸吊用基部のおもり懸吊用ワイヤの取り付け部に一端を掛止された懸吊用ワイヤの他端に端部側腕部の先端を経由して接続されるおもりとを有することを要旨とする。
【００１９】
請求項５記載の補強材均等配置用治具によれば、補強材を均等に配置する補強材均等配置用治具を治具中心配置用治具により、中空柱の中心位置に配置させることが可能となることから、補強材を中空柱内部においてより均等に配置することが可能となる。
【００２０】
請求項６記載の補強材均等配置用治具は展開自在に設けられた腕部を、当該補強材均等配置用治具が懸吊状態にあるとき折り畳み、懸吊状態が解除されるとその腕を展開することを要旨とする。
【００２１】
請求項６記載の補強材均等配置用治具は、当該補強材均等配置用治具を懸吊状態とすると腕部が折り畳まれ、懸吊状態を解除すると、その自重により腕部を展開することから、補強材を均等に配置する際の作業性を大幅に高めることが可能となる。
【００２２】
請求項７記載の補強材均等配置用治具は、前記請求項５または６のいずれかに記載の基部側腕部は、複数の板状部材で構成され、かつ該板状部材には長穴が設けられており、この複数の板状部材の構成を変更することで当該基部側腕部の腕長を変更することを要旨とする。
【００２３】
請求項７記載の補強材均等配置用治具は、基部側腕部が長穴が設けられた複数の板状部材で構成されることから、この複数の板状部材の構成を変更し基部側腕部の腕長を変更することにより、任意の中空柱の内径に対応することが可能となる。
【００２４】
請求項８記載の補強材均等配置用治具は、前記請求項５乃至７のいずれかに記載の基部側腕部が、先端部分に端部側腕部の下向きの揺動を規制する突起部を有することを要旨とする。
【００２５】
請求項８記載の補強材均等配置用治具は、端部側腕部の下向きの揺動が規制されることから、補強材均等配置用治具を懸吊した際、あるいは懸吊状態を解除した際の端部側腕部の動作を円滑にすることが可能となる。
【００２６】
請求項９記載の補強材均等配置用治具は、前記請求項５乃至８のいずれかに記載の端部側腕部が、さらに端部側上腕部と端部側下椀部により構成され、前記端部側上腕部は、前記基部側腕部の先端部より若干腕取り付け基部寄りの位置で揺動自在に連結され、前記端部側下椀部は、前記基部側腕部先端部分に設けられた端部側上腕部の下向きの揺動を規制する突起部に揺動自在に連結され、前記おもり懸吊用ワイヤは一端を懸吊用基部に掛止し、他端を端部側上腕部の先端と端部側下椀部の先端とを経由しておもりに接続されることを要旨とする。
【００２７】
請求項９記載の補強材均等配置用治具は、端部側腕部が端部側上腕部と端部側下椀部により構成されることから、おもり懸吊用ワイヤの繰り出しが円滑に行われ、これにより基部側腕部および端部側上腕部と端部側下椀部の展開がより円滑となる。
【００２８】
請求項１０記載の補強材均等配置用治具は、前記請求項５乃至８のいずれかに記載の端部側腕部が、その腕長が基部側腕部の腕長よりも長いことを要旨とする。
【００２９】
請求項１０記載の補強材均等配置用治具では、端部側腕部の腕長が基部側腕部の腕長よりも長いことから、端部側腕部を揺動し上方に跳ね上げることにより、補強材均等配置用治具の最小半径を小さくしつつ、展開時の同最大半径を大きくすることが可能となる。
【発明の効果】
【００３０】
本発明によれば、既設の立設した状態の中空柱の中空部内部にモルタルおよびアラミドロッド等の補強材を注入し補強する際に、アラミドロッドを確実かつ容易に均等に配置し、中空柱を効率的に補強することを可能とする中空柱における補強材均等配置方法及び補強材均等配置用治具を提供することができる。
【発明を実施するための最良の形態】
【００３１】
以下、本発明の実施の形態を図面を参照して説明する。
【００３２】
図１は、本発明に係る中空柱における補強材均等配置方法の処理手順を説明するフローチャートであり、図２は補強材均等配置用治具の一つの実施の形態における構成を示す図である。中空柱としては各種鋼管柱（テーパーの無い鋼板柱、テーパーのあるパンザマスト（鋼板組立柱））やコンクリート柱（テーパーの有る電柱やテーパーのないコンクリート柱）が含まれる。
【００３３】
まず、図２を参照して、補強材均等配置用治具１０の構成について説明する。
【００３４】
この補強材均等配置用治具１０の概略の構成は、腕取り付け基部１１と、この腕取り付け基部１１に取り付けられる８本の基部側腕部１３と、この８本の基部側腕部１３の腕取り付け基部１１と反対側の先端近傍にそれぞれに揺動自在に設けられる端部側上腕部１５と、前記８本の基部側腕部１３の先端に、端部側上腕部１５の下側に、それぞれに揺動自在に設けられる端部側下椀部１７と、おもり懸吊用ワイヤ２１の一方の端部である基部側端部をスリーブで掛止して、これら腕部材１３，１５，１７を懸吊する懸吊用基部１９と、このおもり懸吊用ワイヤ２１の基部側と反対側端部にスリーブで掛止して取り付けられるおもり２３によって構成される。
【００３５】
以下、上述した各構成について詳細に説明する。
【００３６】
まず、腕取り付け基部１１は、中心部分に後述する軸部材３１を摺動自在に嵌装可能なほぼ軸部材３１と同径の孔を有する円筒状であり、かつ３枚の円板状の金属部材（例えば鋼材）が積層されて作成される。また上下の円板は中央の円板にネジ留めされ、中間に挟まれた円筒部材の外周には等間隔に８本のスリットが形成される。この円筒部材の厚み（高さ）は、基部側腕部１３の厚み（高さ）より極僅かに薄く（低く）形成されるため、スリットに基部側腕部１３の端部を挿入することにより基部側腕部１３を前記上下の円板のネジ留めにより挟み込み、固定することができる。
【００３７】
基部側腕部１３は、異なる数種類の長さ（例えば２５ｍｍ、４０ｍｍ、６０ｍｍ、８０ｍｍ）の金属製（例えば鋼材）の板状部材の組み合わせにより任意の長さに構成される。すなわち、板状部材には、それぞれ複数の長孔（例えば１８ｍｍ、２５ｍｍ、３５ｍｍ、５５ｍｍ）、丸孔が適宜設けられており、２，３枚の板状部材を組み合わせ、その長さを調整した後に、これら孔にビスを差し込みにナットで固定することにより任意の腕長の基部側腕部１３を作成することが可能となる。これにより各種鋼管柱やコンクリート柱等の内径の大小に対応が可能となる。
【００３８】
端部側上腕部１５は、基部側腕部１３の先端に設けられるストッパによって下方向への下降が規制される。これにより端部側上腕部１５と端部側下椀部１７との干渉およびこれら腕部とおもり懸吊用ワイヤ２１との干渉を防ぐようにしている。
【００３９】
また、このときビスはナットにより留めるようにしても構わないが本実施形態ではビスをスリーブで固定し、作業中の緩みを防止するようにしている。
【００４０】
おもり懸吊用ワイヤ２１の鋼性により懸吊用基部１９は図２に示すように若干浮いた状態に保持される。
【００４１】
おもり２３は、おもり懸吊用ワイヤ２１の下端におもり取り付けスリーブ２３ｂで固定される下部おもり２３ａと、おもり取り付けスリーブ２３ｂの上部でおもり懸吊用ワイヤ２１上を摺動可能に嵌装される上部おもり２３ｃに分割して設けられる。上部おもり２３ｃは懸吊される下部おもり２３ａとおもり懸吊用ワイヤ２１の揺動を抑制するために設けられる。
【００４２】
また、この補強材均等配置用治具４０は、図７に示されるように懸吊用基部４９と接続される一対の懸吊用下部ワイヤ５７ａと、この懸吊用下部ワイヤ５７ａと接続される懸吊用上部ワイヤ５７ｂで構成される補強材均等配置用治具懸吊用ワイヤ５７により懸吊される。
【００４３】
図３に示される補強材均等配置用治具１０は、懸吊状態にあり、そのため端部側上腕部１５が上方に揺動して折り畳まれた状態になっている。つまりこの状態では、補強材均等配置用治具１０としての半径は基部側腕部４３の腕長とほぼ等しく最小であり、中空柱内に当該補強材均等配置用治具１０を挿入する際の側面開口Ｈの長さを最小にすることが可能となる。
【００４４】
次に図４を参照して治具中心配置用治具３０の構成を説明する。
【００４５】
軸部材３１は８０ｍｍ程度の長さの下部軸部材３１ａと、この下部軸部材３１ａと連結部材３１ｃで連結される３０００ｍｍ程度の長さの上部軸部材３１ｂにより構成される。連結部材３１ｃは長手の六角ナットであり、下部軸部材３１ａの上端外周に螺刻されるネジと、連結部材３１ｃの下端外周に螺刻されるネジにより下部軸部材３１ａと上部軸部材３１ｃを連結すると共に、補強材均等配置用治具１０の腕取り付け基部１１と当接して補強材均等配置用治具１０の位置決めを担う。
【００４６】
下部軸部材３１ａの下から１００ｍｍから２００ｍｍの位置には、下側腕取り付け基部３３が固定される。この下側腕取り付け基部３３には４本の下側腕部３５が揺動自在に取り付けられる。この下側腕部３５は基部側下側腕部３５ａと端部側下側腕部３５ｂにより構成される。
【００４７】
また下側腕取り付け基部３３の上方には上側腕取り付け基部３９が軸方向に摺動自在に取り付けられる。この下側腕取り付け基部３３には４本の上側腕部３７が揺動自在に取り付けられる。この上側腕部３７は基部側上側腕部３７ａと端部側上側腕部３７ｂにより構成される。
【００４８】
また端部側下側腕部３５ｂの端部と端部側上側腕部３７ｂの端部とは揺動自在に連結され、また基部側下側腕部３５ａと基部側上側腕部３７ａは２枚の板状体で構成されて、腕自体の下部軸部材３１ａへの取り付け強度を確保すると共に、展開時の重量を稼いでいる。また端部側下側腕部３５ｂと端部側上側腕部３７ｂとは１枚の板状体であり、端部側下側腕部３５ｂと端部側上側腕部３７ｂとの揺動を軽いものとしている。
【００４９】
次に、図１に示すフローチャートを参照して本補強材均等配置工法をその施工手順に従って説明する。
【００５０】
まず、ステップＳ１１で中空柱Ｐの側壁面を超音波削孔機で削孔し、側面開口Ｈを形成する。この側面開口Ｈは開口長さ（高さ）は４００〜５００ｍｍで、開口幅は４０〜５０ｍｍであり、地上高は開口下端で１５００ｍｍ程度である。
【００５１】
次にステップＳ１３で、上端にワイヤＷＬを取り付けたアラミドロッドＬを側面開口Ｈから中空柱内部に挿入する。このアラミドロッドＬの長さは本実施形態では３ｍ長のものを使用するが、中空柱の全長、すなわち全長によって異なる埋設長さ（深さ）により適宜変更が可能である。また該ワイヤＷＬは２，３ｍ程度であり、このステップＳ１１では外部に残したままとする。
【００５２】
次に、ステップＳ１５で、図示しないロッド懸吊用治具のワイヤ環にアラミドロッドＬのワイヤＷＬを通線する。このロッド懸吊用治具は中空柱の内径より若干、径が小である環状体であり、この環状体に沿ってワイヤＷＬを案内するための８個のワイヤ環が設けられている。このロッド懸吊用治具を中空柱内部の側面開口Ｈ上端部分で荷締めバンド等により中空柱に固定する。
【００５３】
次にステップＳ１７に進む。ここでは、予め補強材均等配置用治具１０のロッド保持部２５のスリット２５ａからワイヤＷＬをロッド保持部２５内に入れ込み、ロッド保持部２５内にワイヤＷＬを通線する。通線後、スリット２５ａは粘着テープ等により塞いでおく。次に補強材均等配置用治具１０を懸吊して端部側上腕部１５が上方に折り畳まれた状態としてから、補強材均等配置用治具１０全体を垂直にして、側面開口Ｈから中空柱内部に挿入する。続いて治具中心配置用治具３０を、補強材均等配置用治具１０の下側に側面開口Ｈから中空柱内部に挿入する。
【００５４】
この治具中心配置用治具３０の挿入に際しては、まず下部軸部材３１ａに連結部材３１ｃを介して上部軸部材３１ｂを連結しておく。続いて、治具中心配置用治具３０の上側腕取り付け基部３９を軸方向上方に引き上げ、下側腕部３５と上側腕部３７を傘を閉じるように下部軸部材３１ａに引き寄せ、治具中心配置用治具３０全体を細身にして、側面開口Ｈから挿入する。
【００５５】
次にステップＳ１９で、治具中心配置用治具３０の軸部材３１の上端から補強材均等配置用治具１０を嵌合し、さらに補強材均等配置用治具１０を軸部材３１の所定位置、すなわち上述した連結部材３１ｃの上端位置まで下降する。
【００５６】
次に、ステップＳ２１で、治具中心配置用治具３０を軸部材３１が底部に着くまで下降する。このとき治具中心配置用治具３０の腕部材３５，３７が、腕部材３５，３７の自重により展開し、軸部材３１を中空柱内部のほぼ中心に配置される。
【００５７】
次に、ステップＳ２３で、補強材均等配置用治具１０の基部側腕部１３、端部側上腕部１５，端部側下椀部１７が自重およびおもり２３の重さにより展開し、アラミドロッドＬを中空柱内部で均等に配置する。
【００５８】
次に、ステップＳ２５で、中空柱内部のアラミドロッドの隙間に、側面開口Ｈから、例えば豆砂利や砕石を投入し、更にモルタルやコンクリートなどを順次投入し、これにより中空柱の最下端部から側面開口部付近までを補強する。なお、充填材としては豆砂利、砕石、モルタル、コンクリートの他、砂利、砂、合成樹脂等、任意の建築材料を利用できる。その後、側面開口Ｈを閉塞する。
【００５９】
次に、図６および図７を参照して、他の実施形態に係る補強材均等配置用治具４０について説明する。
【００６０】
この補強材均等配置用治具４０の概略の構成は、腕取り付け基部４１と、この腕取り付け基部４１に取り付けられる８本の基部側腕部４３と、この８本の基部側腕部４３の腕取り付け基部４１と反対側の先端近傍にそれぞれに揺動自在に設けられ基部側腕部４３よりも腕長の長い端部側腕部４５と、おもり懸吊用ワイヤ５１の一方の端部である基部側端部をスリーブで掛止して、これら腕部材４３，４５を懸吊する懸吊用基部４９と、このおもり懸吊用ワイヤ５１の基部側と反対側端部にスリーブで掛止して取り付けられるおもり５３によって構成される。
【００６１】
また、この補強材均等配置用治具４０は、図７に示されるように懸吊用基部４９と接続される一対の懸吊用下部ワイヤ５７ａと、この懸吊用下部ワイヤ５７ａと接続される懸吊用上部ワイヤ５７ｂで構成される補強材均等配置用治具懸吊用ワイヤ５７により懸吊される。
【００６２】
図７に示される補強材均等配置用治具４０は、懸吊状態にあり、そのため端部側腕部４５が上方に揺動して折り畳まれた状態になっている。つまりこの状態では、補強材均等配置用治具４０としての半径は基部側腕部４３の腕長とほぼ等しく最小であり、中空柱内に当該補強材均等配置用治具４０を挿入する際の側面開口Ｈの長さを最小にすることが可能となる。つまり、この補強材均等配置用治具４０としての半径は基部側腕部４３の腕長に依存し、端部側腕部４５には依らないことから、端部側腕部４５の腕長を長くした場合であっても、補強材均等配置用治具４０の最小半径を小さくしつつ、展開時の同最大半径を大きくすることが可能となる。
【図面の簡単な説明】
【００６３】
【図１】本発明の中空柱の補強材均等配置方法における処理手順を説明するためのフローチャートである。
【図２】本発明の中空柱における補強材均等配置方法で使用される補強材均等配置用治具装置の構成を示す図である。
【図３】図２に示す補強材均等配置用治具の懸吊状態における状態を示す図である。
【図４】本発明の中空柱における補強材均等配置方法で使用される治具中心配置用治具の構成を示す図である。
【図５】本発明の中空柱における補強材均等配置方法において、補強材均等配置用治具が治具中心配置用治具により中心位置に配置される状態を示す図である。
【図６】本発明に係る他の実施形態における補強材均等配置方法で使用される補強材均等配置用治具装置の構成を示す図である。
【図７】図６に示す補強材均等配置用治具の懸吊状態における状態を示す図である。
【符号の説明】
【００６４】
１０…補強材均等配置用治具
１１…腕取り付け基部
１３…基部側腕部
１５…端部側上腕部
１７…端部側下椀部
１９…懸吊用基部
２１…おもり懸吊用ワイヤ
２３…おもり
２３ａ…下部おもり
２３ｂ…おもり取り付けスリーブ
２３ｃ…上部おもり
２５…ロッド保持部
２５ａ…スリット
２７…補強材均等配置用治具懸吊用ワイヤ
２７ａ…懸吊用下部ワイヤ
２７ｂ…懸吊用上部ワイヤ
３０…治具中心配置用治具
３１… 軸部材
３１ａ…下部軸部材
３１ｂ…上部軸部材
３１ｃ…連結部材
３３…下側腕取り付け基部
３５…下側腕部
３５ａ…基部側下側腕部
３５ｂ…端部側下側腕部
３７…上側腕部
３７ａ…基部側上側腕部
３７ｂ…端部側上側腕部
３９…上側腕取り付け基部
４０…補強材均等配置用治具
４１…腕取り付け基部
４３…基部側腕部
４５…端部側腕部
４９…懸吊用基部
５１…おもり懸吊用ワイヤ
５３…おもり
５５…ロッド保持部
５５ａ…スリット
５７…補強材均等配置用治具懸吊用ワイヤ
５７ａ…懸吊用下部ワイヤ
５７ｂ…懸吊用上部ワイヤ
Ｌ…アラミドロッド
ＬＷ…ロッド用おもり
ＷＬ…ロッド懸吊用ワイヤ
【図１】
2008025317.tif 000003
【図２】
2008025317.tif 000004
【図３】
2008025317.tif 000005
【図４】
2008025317.tif 000006
【図５】
2008025317.tif 000007
【図６】
2008025317.tif 000008
【図７】
2008025317.tif 000009